(57)【要約】【目的】  ダイクロイック光学系が不要で且つ光源の小型化が図れる照明装置及び投写型映像表示装置を提供する。【構成】  光源として３つのＬＥＤアレイ２１Ｒ，２１Ｇ，２１Ｂを備えるＬＥＤアレイ２１Ｒは赤色光を出射し、ＬＥＤアレイ２１Ｇは緑色光を出射し、ＬＥＤアレイ２１Ｂは青色光を出射する。ＬＥＤアレイ２１は、複数のＬＥＤ（発光ダイオード）が同一平面内に配置されたものである。各ＬＥＤの出射光軸（主光線）は前記平面（ＬＥＤ配置平面）に対して直交するように設定されている。ＬＥＤアレイ２１ＲとＬＥＤアレイ２１Ｇは互いに辺の中央部を近接させており、平面視では十字形状を成す。【選択図】        図１
2005284184.tif 000002
【特許請求の範囲】
【請求項１】
三原色光を生成する照明装置において、第１の色光を出射する固体発光素子アレイと、第２の色光を出射する固体発光素子アレイと、第３の色光を出射する固体発光素子アレイとのうちいずれか二つの固体発光素子アレイが互いの辺を近接させて設けられていることを特徴とする照明装置。
【請求項２】
請求項１に記載の照明装置において、二つの固体発光素子アレイが互いに辺の中央部を近接させて十字状を成すように配置されていることを特徴とする照明装置。
【請求項３】
請求項２に記載の照明装置において、前記二つの固体発光素子アレイはそれぞれライン状に配置されたライン状発光素子群から成り、各ライン状発光素子群が交互に配置されたことを特徴とする照明装置。
【請求項４】
請求項２に記載の照明装置において、前記二つの固体発光素子アレイは、一方の固体発光素子アレイの下辺中央部と他方の固体発光素子アレイの上辺中央部を互いに近接させていることを特徴とする照明装置。
【請求項５】
請求項１に記載の照明装置において、二つの固体発光素子アレイが互いに辺の全体を近接させてＬ字状を成すように配置されていることを特徴とする照明装置。
【請求項６】
三原色光を生成する照明装置において、第１の色光を出射する固体発光素子アレイと、第２の色光を出射する固体発光素子アレイと、第３の色光を出射する固体発光素子アレイとが互いの辺又は角を近接させて設けられていることを特徴とする照明装置。
【請求項７】
請求項６に記載の照明装置において、前記三つの固体発光素子アレイが互いに辺の中央部を近接させて配置されており、第２の色光を出射する固体発光素子アレイは第１の色光を出射する固体発光素子アレイに対して時計回りに所定角度回転して位置し、第３の色光を出射する固体発光素子アレイは第１の色光を出射する固体発光素子アレイに対して反時計回りに所定角度回転して位置していることを特徴とする照明装置。
【請求項８】
請求項７に記載の照明装置において、前記三つの固体発光素子アレイはそれぞれライン状に配置されたライン状発光素子群から成り、各ライン状発光素子群が交互に配置されたことを特徴とする照明装置。
【請求項９】
請求項７に記載の照明装置において、前記三つの固体発光素子アレイは三段配置されていることを特徴とする照明装置。
【請求項１０】
請求項６に記載の照明装置において、前記三つの固体発光素子アレイが互いに辺の全体を近接させてコ字形状を成すように配置されたことを特徴とする照明装置。
【請求項１１】
請求項６に記載の照明装置において、前記三つの固体発光素子アレイが互いの角を近接させて同一平面内に配置されたことを特徴とする照明装置。
【請求項１２】
請求項１乃至請求項１１のいずれかに記載の照明装置において、各固体発光素子アレイの出射光を特定の直線偏光方向に揃える偏光変換装置を備えたことを特徴とする照明装置。
【請求項１３】
請求項１乃至請求項１２のいずれかに記載の照明装置と、前記照明装置の各固体発光素子アレイからの色光をそれぞれライトバルブに導く光学系と、前記ライトバルブを経て得られた各色映像光を合成して投写する投写光学系と、を備えたことを特徴とする投写型映像表示装置。
【請求項１４】
請求項１３に記載の投写型映像表示装置において、各固体発光素子アレイは、点灯と消灯を所定時間単位で交互に繰り返すように構成されたことを特徴とする投写型映像表示装置。
【発明の詳細な説明】
【技術分野】
【０００１】
この発明は、照明装置及び投写型映像表示装置に関する。
【背景技術】
【０００２】
図９に従来の投写型映像表示装置の構成例を示す。光源１の発光部２は、超高圧水銀ランプ、メタルハライドランプ、キセノンランプ等から成り、その照射光はパラボラリフレクタ３によって平行光となって出射され、インテグレータレンズ４へと導かれる。
【０００３】
インテグレータレンズ４は一対のレンズ群４ａ，４ｂにて構成されており、個々のレンズ対が光源１から出射された光を後述する液晶ライトバルブの全面へ導くようになっている。インテグレータレンズ４を経た光は、偏光変換装置５、集光レンズ６を経た後、ダイクロイックミラー８へと導かれる。
【０００４】
偏光変換装置５は、偏光ビームスプリッタアレイ（以下、ＰＢＳアレイと称する）によって構成される。ＰＢＳアレイは、偏光分離膜と位相差板（１／２λ板）とを備える。ＰＢＳアレイの各偏光分離膜は、インテグレータレンズ４からの光のうち例えばＰ偏光を通過させ、Ｓ偏光を９０°光路変更する。光路変更されたＳ偏光は隣接の偏光分離膜にて反射され、その前側（光出射側）に設けてある前記位相差板によってＰ偏光に変換されて出射される。一方、偏光分離膜を透過したＰ偏光は、そのまま出射される。すなわち、この場合には、ほぼ全ての光はＰ偏光に変換される。上記の例では、全ての光をＰ偏光に変換する構成に関して説明を行ったが、位相差板位置をＰ偏光出射位置に設けることで、全てＳ偏光に変換する構成にしてもよい。
【０００５】
ダイクロイックミラー８は、赤色波長帯域の光を透過し、シアン（緑＋青）の波長帯域の光を反射する。ダイクロイックミラー８を透過した赤色波長帯域の光は、全反射ミラー９にて反射されて光路を変更される。全反射ミラー９にて反射された赤色光はコンデンサレンズ１０を経て赤色光用の透過型の液晶ライトバルブ７Ｒを透過することによって光変調される。一方、ダイクロイックミラー８にて反射したシアンの波長帯域の光は、ダイクロイックミラー１１Ａに導かれる。
【０００６】
ダイクロイックミラー１１Ａは、青色波長帯域の光を透過し、緑色波長帯域の光を反射する。ダイクロイックミラー１１Ａにて反射した緑色波長帯域の光はコンデンサレンズ１２を経て緑色光用の透過型の液晶ライトバルブ７Ｇに導かれ、これを透過することによって光変調される。また、ダイクロイックミラー１１Ａを透過した青色波長帯域の光は、リレーレンズ１３、全反射ミラー１４、リレーレンズ１５、及び全反射ミラー１６、コンデンサレンズ１７を経て青色光用の透過型の液晶ライトバルブ７Ｂに導かれ、これを透過することによって光変調される。
【０００７】
液晶表示パネル７Ｒ，７Ｇ，７Ｂを経ることで変調された変調光（各色映像光）は、ダイクロイックプリズム１８によって合成されてカラー映像光となる。このカラー映像光は、投写レンズ１９によって拡大投写され、スクリーン上に投影表示される。
【０００８】
また、従来の投写型映像表示装置として、赤色ＬＥＤからの赤色光、緑色ＬＥＤからの緑色光、及び青色色ＬＥＤからの青色光を、クロスダイクロイックプリズムを用いてそれぞれ同一の方向に導く構成が提案されている（特許文献１参照）。
【特許文献１】特開２００２−１８９２６３号公報
【発明の開示】
【発明が解決しようとする課題】
【０００９】
しかしながら、上記従来の構成では、表示パネルに各色光を導くための光学系において、高額なクロスダイクロイックミラー（或いは、クロスダイクロイックプリズム）やダイクロイックミラーが必要になってしまう。また、光源の小型化が図り難いという欠点がある。
【００１０】
この発明は、上記の事情に鑑み、ダイクロイック光学系が不要で且つ光源の小型化が図れる照明装置及び投写型映像表示装置を提供することを目的とする。
【課題を解決するための手段】
【００１１】
この発明の照明装置は、上記の課題を解決するために、三原色光を生成する照明装置において、第１の色光を出射する固体発光素子アレイと、第２の色光を出射する固体発光素子アレイと、第３の色光を出射する固体発光素子アレイとのうちいずれか二つの固体発光素子アレイが互いの辺を近接させて設けられていることを特徴とする（以下、この項において第１構成という）。
【００１２】
上記の構成であれば、第１の色光を出射する固体発光素子アレイと、第２の色光を出射する固体発光素子アレイと、第３の色光を出射する固体発光素子アレイとを備えたので、高額なクロスダイクロイックミラー（或いは、クロスダイクロイックプリズム）やダイクロイックミラーを用いずに済む。また、三つの固体発光素子アレイのうちは二つが互いの辺を近接させて設けられているので、照明装置を小型化できる。
【００１３】
第１構成の照明装置において、二つの固体発光素子アレイが互いに辺の中央部を近接させて十字状を成すように配置されていてもよい。前記二つの固体発光素子アレイはそれぞれライン状に配置されたライン状発光素子群から成り、各ライン状発光素子群が交互に配置されていてもよい。或いは、前記二つの固体発光素子アレイは、一方の固体発光素子アレイの下辺中央部と他方の固体発光素子アレイの上辺中央部を互いに近接させていてもよい。
【００１４】
第１構成の照明装置において、二つの固体発光素子アレイが互いに辺の全体を近接させてＬ字状を成すように配置されていてもよい。
【００１５】
また、この発明の照明装置は、三原色光を生成する照明装置において、第１の色光を出射する固体発光素子アレイと、第２の色光を出射する固体発光素子アレイと、第３の色光を出射する固体発光素子アレイとが互いの辺又は角を近接させて設けられていることを特徴とする（以下、この項において第２構成という）。
【００１６】
第２構成において、前記三つの固体発光素子アレイが互いに辺の中央部を近接させて配置されており、第２の色光を出射する固体発光素子アレイは第１の色光を出射する固体発光素子アレイに対して時計回りに所定角度回転して位置し、第３の色光を出射する固体発光素子アレイは第１の色光を出射する固体発光素子アレイに対して反時計回りに所定角度回転して位置していてもよい。かかる構成において、前記三つの固体発光素子アレイはそれぞれライン状に配置されたライン状発光素子群から成り、各ライン状発光素子群が交互に配置されていてもよい。或いは、前記三つの固体発光素子アレイは三段配置されていてもよい。
【００１７】
第２構成において、前記三つの固体発光素子アレイが互いに辺の全体を近接させてコ字形状を成すように配置されていてもよい。また、第２構成において、前記三つの固体発光素子アレイが互いの角を近接させて同一平面内に配置されていてもよい。
【００１８】
また、これら構成の照明装置において、各固体発光素子アレイの出射光を特定の直線偏光方向に揃える偏光変換装置を備えてもよい。
【００１９】
また、この発明の投写型映像表示装置は、上述したいずれかの照明装置と、前記照明装置の各固体発光素子アレイからの色光をそれぞれライトバルブに導く光学系と、前記ライトバルブを経て得られた各色映像光を合成して投写する投写光学系と、を備えたことを特徴とする。かかる投写型映像表示装置において、各固体発光素子アレイは、点灯と消灯を所定時間単位で交互に繰り返すように構成されていてもよい。
【発明の効果】
【００２０】
この発明によれば、ライトバルブに各色光を導くための光学系に高額なクロスダイクロイックミラー（或いは、クロスダイクロイックプリズム）やダイクロイックミラーを用いずに済む。また、三つの固体発光素子アレイのうち二つ或いは三つが互いの辺又は角を近接させて設けられているので、照明装置の小型化が図られ、投写型映像表示装置の小型化が容易になるという効果を奏する。
【発明を実施するための最良の形態】
【００２１】
（実施形態１）
以下、この発明の実施形態１の投写型映像表示装置を図１乃至図３に基づいて説明する。なお、説明の便宜上、従来例の図９に示した要素と同一の要素には同一の符号を付記している。
【００２２】
図１は三板式の投写型映像表示装置の光学系を示した図である。この投写型映像表示装置は光源として３つのＬＥＤアレイ２１Ｒ，２１Ｇ，２１Ｂを備える（以下、個々のＬＥＤアレイを特定しないで示すときには、符号”２１”を用いる）。ＬＥＤアレイ２１Ｒは赤色光を出射し、ＬＥＤアレイ２１Ｇは緑色光を出射し、ＬＥＤアレイ２１Ｂは青色光を出射する。
【００２３】
ＬＥＤアレイ２１は、複数のＬＥＤ（発光ダイオード）が同一平面内に配置されたものである。各ＬＥＤの出射光軸（主光線）は前記平面（ＬＥＤ配置平面）に対して直交するように設定されている。各ＬＥＤアレイ２１の光出射側にはインテグレータレンズ４を設けている。勿論、図示はしていないが、偏光変換装置５を配置することもできる。なお、図１において、インテグレータレンズ４の光出射側には、コンデンサレンズ２２，２３，２４が適宜配置され、また、図９のダイクロイックミラー１１Ａに替えて全反射ミラー１１Ｂが設けられる。
【００２４】
ＬＥＤアレイ２１ＲとＬＥＤアレイ２１Ｇは各々の辺の中央部において互いに近接しており、平面視では十字形状を成す。
【００２５】
ＬＥＤアレイ２１Ｒから出射された赤色光は、全反射ミラー９にて反射されて光路を変更される。全反射ミラー９にて反射された赤色光はコンデンサレンズ１０を経て赤色光用の透過型の液晶表示パネル７Ｒを透過することによって光変調される。
【００２６】
ＬＥＤアレイ２１Ｇから出射された緑色光は、全反射ミラー１１Ｂにて反射されて光路を変更される。全反射ミラー１１Ｂにて反射された緑色光はコンデンサレンズ１２を経て緑色光用の透過型の液晶表示パネル７Ｇを透過することによって光変調される。
【００２７】
ＬＥＤアレイ２１Ｂから出射された青色光は、全反射ミラー１６にて反射されて光路を変更される。全反射ミラー１６にて反射された青色光はコンデンサレンズ１７を経て青色光用の透過型の液晶表示パネル７Ｂを透過することによって光変調される。
【００２８】
各液晶表示パネル７Ｒ，７Ｇ，７Ｂは、入射側偏光板と、一対のガラス基板（画素電極や配向膜を形成してある）間に液晶を封入して成るパネル部と、出射側偏光板とを備えて成る。液晶表示パネル７Ｒ，７Ｇ，７Ｂを経ることで変調された変調光（各色映像光）は、ダイクロイックプリズム１８によって合成されてカラー映像光となる。このカラー映像光は、投写レンズ１９によって拡大投写され、スクリーン上に投影表示される
前述した十字形状を成すＬＥＤアレイ２１ＲとＬＥＤアレイ２１Ｇは、図２に示すように、各アレイを構成している１ライン分のＬＥＤ群ごとに交互に９０°交差して配置された構造を有していてもよい。勿論、１ライン分とすることに限定されるものではない。或いは、図３に示すように、ＬＥＤアレイ２１Ｒの下辺中央部と、ＬＥＤアレイ２１Ｇの上辺中央部を接した状態で９０°交差して配置された構造を有していてもよい。
【００２９】
（実施形態２）
以下、この発明の実施形態２の投写型映像表示装置を図４及び図５に基づいて説明する。なお、説明の便宜上、実施形態１の図１に示した要素と同一の要素には同一の符号を付記している。
【００３０】
図４は三板式の投写型映像表示装置の光学系を示した図である。この投写型映像表示装置は光源として３つのＬＥＤアレイ２１Ｒ，２１Ｇ，２１Ｂを備える。図１の構成との相違点は、ＬＥＤアレイ２１ＲとＬＥＤアレイ２１Ｇはその左右側の辺を互いに近接させて設けられている点である。かかる構成であれば、図５に示しているように、ＬＥＤアレイ２１ＲとＬＥＤアレイ２１Ｇはより多くのＬＥＤを有したものとすることができる。なお、ＬＥＤアレイ２１Ｒ及びＬＥＤアレイ２１Ｇに対応して設けたインテグレータレンズのフライアイレンズ同士は図１の構成に比べて長い距離をおくことになるので、このような配置に対応したレンズ設計を行う。
【００３１】
（実施形態３）
以下、この発明の実施形態３の投写型映像表示装置を図６に基づいて説明する。なお、この図６においては、幾つかの光学要素を省略して示している。また、説明の便宜上、実施形態１の図１に示した同一の要素には同一の符号を付記している。
【００３２】
図６は三板式の投写型映像表示装置の光学系を示した図である。この投写型映像表示装置は光源として３つのＬＥＤアレイ２１Ｒ，２１Ｇ，２１Ｂを備える。ＬＥＤアレイ２１Ｇは液晶表示パネル７Ｇに対して正面を向いている。ＬＥＤアレイ２１ＲはＬＥＤアレイ２１Ｇに対して時計回りに３０°回転した位置に設けられている。ＬＥＤアレイ２１ＢはＬＥＤアレイ２１Ｇに対して反時計回りに３０°回転した位置に設けられている。ＬＥＤアレイ２１Ｒ，２１Ｇ，２１Ｂは、図２或いは図３に示したような配置形態と同様の形態で互いに辺の中央部を近接させた状態で設けられる。
【００３３】
赤色光を受ける全反射ミラー３１の法線は、ＬＥＤアレイ２１Ｒの出射光軸に対して３０°傾いている。また、全反射ミラー３１の法線は、液晶表示パネル７Ｒに対しても３０°傾いている。ＬＥＤアレイ２１Ｒから出射された赤色光は全反射ミラー３１に反射して液晶表示パネル７Ｒに垂直に入射する。
【００３４】
青色光を受ける全反射ミラー３２の法線は、ＬＥＤアレイ２１Ｂの出射光軸に対して３０°傾いている。また、全反射ミラー３２の法線は、液晶表示パネル７Ｂに対しても３０°傾いている。ＬＥＤアレイ２１Ｂから出射された青色光は全反射ミラー３２に反射して液晶表示パネル７Ｂに垂直に入射する。
【００３５】
上記光学系においても、各ＬＥＤアレイ２１に対してインテグレータレンズ４を設けることができ、更に、偏光変換装置５も設けることができる。
【００３６】
（実施形態４）
以下、この発明の実施形態４の投写型映像表示装置を図７に基づいて説明する。なお、この図７においては、幾つかの光学要素を省略して示している。また、説明の便宜上、実施形態１の図１に示した同一の要素には同一の符号を付記している。
【００３７】
図７（ａ）は三板式の投写型映像表示装置の光学系を示した斜視図であり、同図（ｂ）は背面図である。この投写型映像表示装置は光源として３つのＬＥＤアレイ２１Ｒ，２１Ｇ，２１Ｂを備える。ＬＥＤアレイ２１Ｒは液晶表示パネル７Ｒと略同一平面内で当該液晶表示パネル７Ｒの上方に設けられている。ＬＥＤアレイ２１Ｇは液晶表示パネル７Ｇと略同一平面内で当該液晶表示パネル７Ｇの上方に設けられている。ＬＥＤアレイ２１Ｂは液晶表示パネル７Ｂと略同一平面内で当該液晶表示パネル７Ｂの上方に設けられている。これらＬＥＤアレイ２１Ｒ，２１Ｇ，２１Ｂは互いの辺を近接させており、平面視においてコ字形状を成している。
【００３８】
全反射ミラー３３Ｒは、ＬＥＤアレイ２１Ｒの光出射側において、その出射光軸に対して４５°傾けて配置されており、全反射ミラー３４Ｒは液晶表示パネル７Ｒの光入射側において、その入射光軸に対して４５°傾けて配置されている。すなわち、ＬＥＤアレイ２１Ｒから出射された赤色光は、全反射ミラー３３Ｒ，３４Ｒに反射して液晶表示パネル７Ｒに入射する。
【００３９】
全反射ミラー３３Ｇは、ＬＥＤアレイ２１Ｇの光出射側において、その出射光軸に対して４５°傾けて配置されており、全反射ミラー３４Ｇは液晶表示パネル７Ｇの光入射側において、その入射光軸に対して４５°傾けて配置されている。すなわち、ＬＥＤアレイ２１Ｇから出射された緑色光は、全反射ミラー３３Ｇ，３４Ｇに反射して液晶表示パネル７Ｇに入射する。
【００４０】
全反射ミラー３３Ｂは、ＬＥＤアレイ２１Ｂの光出射側において、その出射光軸に対して４５°傾けて配置されており、全反射ミラー３４Ｂは液晶表示パネル７Ｂの光入射側において、その入射光軸に対して４５°傾けて配置されている。すなわち、ＬＥＤアレイ２１Ｂから出射された青色光は、全反射ミラー３３Ｂ，３４Ｂに反射して液晶表示パネル７Ｂに入射する。
【００４１】
上記光学系においても、各ＬＥＤアレイ２１に対してインテグレータレンズ４を設けることができ、更に、偏光変換装置５も設けることができる。
【００４２】
（実施形態５）
以下、この発明の実施形態５の投写型映像表示装置を図８に基づいて説明する。なお、この図８においては、幾つかの光学要素を省略して示している。また、説明の便宜上、実施形態１の図１に示した同一の要素には同一の符号を付記している。
【００４３】
図８は三板式の投写型映像表示装置の光学系を示した斜視図である。この投写型映像表示装置は光源として３つのＬＥＤアレイ２１Ｒ，２１Ｇ，２１Ｂを備える。ＬＥＤアレイ２１Ｒは、その辺を液晶表示パネル７Ｒのパネル面の上辺に近接させ、前記パネル面に対して垂直に設けられている。ＬＥＤアレイ２１Ｇは、その辺を液晶表示パネル７Ｇのパネル面の上辺に近接させ、前記パネル面に対して垂直に設けられている。ＬＥＤアレイ２１Ｂは、その辺を液晶表示パネル７Ｂのパネル面の上辺に近接させ、前記パネル面に対して垂直に設けられている。これらＬＥＤアレイ２１Ｒ，２１Ｇ，２１Ｂは同一平面内で互いの角を近接させた配置となっている。
【００４４】
全反射ミラー３５Ｒは、ＬＥＤアレイ２１Ｒの光出射側において、その出射光軸に対して４５°傾けて配置されており、且つ液晶表示パネル７Ｒの光入射側において、その入射光軸に対して４５°傾けて配置されている。すなわち、ＬＥＤアレイ２１Ｒから出射された赤色光は、全反射ミラー３５Ｒに反射して液晶表示パネル７Ｒに入射する。
【００４５】
全反射ミラー３５Ｇは、ＬＥＤアレイ２１Ｇの光出射側において、その出射光軸に対して４５°傾けて配置されており、且つ液晶表示パネル７Ｇの光入射側において、その入射光軸に対して４５°傾けて配置されている。すなわち、ＬＥＤアレイ２１Ｇから出射された緑色光は、全反射ミラー３５Ｇに反射して液晶表示パネル７Ｇに入射する。
【００４６】
全反射ミラー３５Ｂは、ＬＥＤアレイ２１Ｂの光出射側において、その出射光軸に対して４５°傾けて配置されており、且つ液晶表示パネル７Ｂの光入射側において、その入射光軸に対して４５°傾けて配置されている。すなわち、ＬＥＤアレイ２１Ｂから出射された青色光は、全反射ミラー３５Ｂに反射して液晶表示パネル７Ｂに入射する。
【００４７】
上記光学系においても、各ＬＥＤアレイ２１に対してインテグレータレンズ４を設けることができ、更に、偏光変換装置５も設けることができる。また、図８では、ＬＥＤアレイ２１をクロスダイクロイックプリズム１８の上面と略面一に設けたが、クロスダイクロイックプリズム１８の上面より上側に配置してもよい。
【００４８】
以上説明した投写型映像表示装置において、ＬＥＤアレイ２１Ｒ，２１Ｇ，２１Ｂを常時点灯させることに限定されるものではない。各ＬＥＤアレイ２１において点灯と消灯を所定時間単位で交互に繰り返すようにしてもよい。このような点灯処理を行う場合には残像現象を軽減することができる。
【図面の簡単な説明】
【００４９】
【図１】この発明の実施形態の投写型映像表示装置の光学系を示した説明図である。
【図２】この発明の実施形態の照明装置を拡大して示した斜視図である。
【図３】この発明の実施形態の照明装置を拡大して示した斜視図である。
【図４】この発明の実施形態の投写型映像表示装置の光学系を示した説明図である。
【図５】ＬＥＤアレイを拡大して示した斜視図である。
【図６】この発明の実施形態の投写型映像表示装置の光学系を示した説明図である。
【図７】この発明の実施形態の投写型映像表示装置の光学系を示した図であって、同図（ａ）は斜視図、同図（ｂ）は背面図である。
【図８】この発明の実施形態の投写型映像表示装置の光学系を示した斜視図である。
【図９】従来の投写型映像表示装置の光学系を示した説明図である。
【符号の説明】
【００５０】
４    インテグレータレンズ
５    偏光変換装置
７Ｒ  赤色用の液晶表示パネル
７Ｇ  緑色用の液晶表示パネル
７Ｂ  青色用の液晶表示パネル
１８  クロスダイクロイックプリズム
１９  投写レンズ
２１Ｒ  赤色用のＬＥＤアレイ
２１Ｇ  緑色用のＬＥＤアレイ
２１Ｂ  青色用のＬＥＤアレイ
【図１】
2005284184.tif 000003
【図２】
2005284184.tif 000004
【図３】
2005284184.tif 000005
【図４】
2005284184.tif 000006
【図５】
2005284184.tif 000007
【図６】
2005284184.tif 000008
【図７】
2005284184.tif 000009
【図８】
2005284184.tif 000010
【図９】
2005284184.tif 000011